(57)【要約】【課題】一つの閉空間の室内への入射光を調整する機能を備えたウインドウ装置において、ウインドウを介して透過する光を遮る遮光板により表示を行って、ウインドウにおける入光、遮光、及び表示を可能とする。【解決手段】ウインドウ１１の透光領域内に透光方向で互いを重ねて配置され、この重ねられた状態を一組として、その組がウインドウ面方向に沿って複数組が互いに等間隔で並べて設けられた複数の遮光板１２Ｒと、各組の遮光板１２Ｒのうち、互いが重ねられた重合位置内におけるウインドウ１１からの配列順位が互いに同じとなるもの同士を連結し、重合位置とウインドウ面方向の位置を互いにずらしたシフト位置との間で、ウインドウ面方向の互いの位置関係を維持したまま移動可能とする透光板１２Ａ〜１２Ｇと、各遮光板１２Ｒに対応して設けられ、室外側に向けて所定の表示を行うＬＥＤ１３Ａ〜１３Ｇとを備える。【選択図】図６
2020084479.tif 000002
【特許請求の範囲】
【請求項１】
一つの閉空間の室内と室外とを仕切る壁面体の室内外間で光を透過させるウインドウの透光領域内に透光方向で互いを重ねて層状に配置され、この重ねられた状態を一組として、その組が前記透光方向に交差する方向であるウインドウ面方向に沿って複数組が互いに等間隔で並べて設けられた不透光材製の複数の遮光板と、
各組の前記遮光板のうち、互いが重ねられた重合位置内における前記ウインドウからの配列順位が互いに同じとなるもの同士を連結し、前記重合位置と前記ウインドウ面方向の位置を互いにずらしたシフト位置との間で、各組の前記遮光板の前記ウインドウ面方向の互いの位置関係を維持したまま移動可能とする連結体と、
前記遮光板を前記重合位置と前記シフト位置との間で移動する移動機構と、
前記各遮光板に対応して設けられ、室内側若しくは室外側の少なくとも一方に向けて所定の表示を行う表示体とを備え、
前記遮光板は、前記シフト位置において互いに隣接する前記遮光板同士が前記透光方向で部分的に重なるように配置されており、前記ウインドウの透光領域全体を遮光可能とされている
入光、遮光、表示可能なウインドウ装置。
【請求項２】
請求項１において、
前記表示体は、発光ダイオード、有機ＥＬ等の自発光体であり、前記連結体による移動方向に交差する方向に複数個並べて配置されている
入光、遮光、表示可能なウインドウ装置。
【請求項３】
請求項１又は２において、
前記連結体は、前記重合位置内における前記各遮光板に対応して前記ウインドウ面方向に沿ってそれぞれ層状に設けられ、前記ウインドウの透光領域全域を覆う透光材製の複数枚の透光板であり、
前記各表示体は、前記各透光板の表面にそれぞれ設けられ、
前記各遮光板は、前記各表示体の非表示面側にそれぞれ設けられている
入光、遮光、表示可能なウインドウ装置。
【請求項４】
請求項１又は２において、
前記遮光板は、前記表示体を配置された帯状の帯板であり、前記ウインドウの透光領域全域を囲むように配置された枠体の互いに対向配置された枠材により前記帯板の両端が支持されている
入光、遮光、表示可能なウインドウ装置。
【請求項５】
請求項１〜４のいずれかにおいて、
前記移動機構は、前記遮光板の前記重合位置と前記シフト位置との間で連続的に移動可能とされ、その移動中の任意の位置で停止可能とされている
入光、遮光、表示可能なウインドウ装置。
【発明の詳細な説明】
【技術分野】
【０００１】
本発明は、入光、遮光、表示可能なウインドウ装置に関する。
【背景技術】
【０００２】
一つの閉空間の室内への入射光を調整するものとして各種ブラインドがある（例えば、特許文献１、２参照）。一方、一つの閉空間の室内と室外とを仕切る壁面体等に所定の表示を行う各種表示装置がある（例えば、特許文献３、４参照）。
【先行技術文献】
【特許文献】
【０００３】
【特許文献１】実願昭５５−１６９２４号（実開昭５６−１１９７２１号）のマイクロフィルム
【特許文献２】特開２０１４−９８９３４号公報
【特許文献３】特開２００２−２４４５９１号公報
【特許文献４】特開２０１６−９９３９３号公報
【発明の概要】
【発明が解決しようとする課題】
【０００４】
しかし、一つの閉空間の室内への入射光を調整する機能を備えたウインドウ装置において、所定の表示を可能としたものは存在しない。
【０００５】
本発明の課題は、一つの閉空間の室内への入射光を調整する機能を備えたウインドウ装置において、ウインドウを介して透過する光を遮る遮光板により表示を行って、ウインドウにおける入光、遮光、及び表示を可能とすることにある。
【課題を解決するための手段】
【０００６】
本発明の第１発明の入光、遮光、表示可能なウインドウ装置は、一つの閉空間の室内と室外とを仕切る壁面体の室内外間で光を透過させるウインドウの透光領域内に透光方向で互いを重ねて層状に配置され、この重ねられた状態を一組として、その組が前記透光方向に交差する方向であるウインドウ面方向に沿って複数組が互いに等間隔で並べて設けられた不透光材製の複数の遮光板と、各組の前記遮光板のうち、互いが重ねられた重合位置内における前記ウインドウからの配列順位が互いに同じとなるもの同士を連結し、前記重合位置と前記ウインドウ面方向の位置を互いにずらしたシフト位置との間で、各組の前記遮光板の前記ウインドウ面方向の互いの位置関係を維持したまま移動可能とする連結体と、前記遮光板を前記重合位置と前記シフト位置との間で移動する移動機構と、前記各遮光板に対応して設けられ、室内側若しくは室外側の少なくとも一方に向けて所定の表示を行う表示体とを備え、前記遮光板は、前記シフト位置において互いに隣接する前記遮光板同士が前記透光方向で部分的に重なるように配置されており、前記ウインドウの透光領域全体を遮光可能とされている。
【０００７】
第１発明において、閉空間は、自動車等の車室、及び建物内の部屋を含む。また、ウインドウは、閉空間を形成する壁面体のうち、側壁、天井、床のいずれに設けられてもよい。更に、移動機構は、モータ等の動力源を持つものでも、動力源を持たない手動式のものでもよい。更にまた、表示体による表示は、動画、静止画、文字、絵等各種のものを含む。
【０００８】
第１発明によれば、遮光板を重合位置とすることによりウインドウを通して室内外間で透光が可能となり、遮光板をシフト位置とすることにより透光を遮光することができる。しかも、遮光板に対応する表示体により所定の表示を行うこともできる。その上、遮光板が複数組あるため、一組当たりの遮光板の透光方向の面積を小さくすることができ、よって重合位置における最大透過光量を大きくすることができる。また、遮光板が複数組設けられるため、遮光板の重なり枚数を少なくすることができ、遮光板の重なり寸法を小さくすることができる。
【０００９】
また、第１発明によれば、シフト位置において隣接する遮光板同士の間に透光方向で隙間が出来ない。そのため、シフト位置において表示体による表示を行ったとき、表示面を連続した面とすることができる。しかも、遮光板による遮光状態で光が漏れるのを抑制することができる。更に、遮光板による遮光は、ウインドウの透光領域全体で行われる。そのため、遮光板のシフト位置では、室内側を室外側から視覚的に遮蔽された空間とすることができる。更にまた、遮光板は移動機構により移動される。そのため、遮光板の移動をスムーズに行うことができる。
【００１０】
本発明の第２発明は、上記第１発明において、前記表示体は、発光ダイオード、有機ＥＬ等の自発光体であり、前記連結体による移動方向に交差する方向に複数個並べて配置されている。
【００１１】
第２発明において、自発光体は、発光ダイオード、有機ＥＬの他、発光ダイオード等の自発光体と組み合わされた液晶表示素子でもよい。
【００１２】
第２発明によれば、表示体が連結体による移動方向に交差する方向に複数個並べられた自発光体により構成されている。そのため、シフト位置においては、連結体の移動方向とそれに交差する方向の２方向に拡がりを持って配置された複数の自発光体により面表示を行うことができる。
【００１３】
本発明の第３発明は、上記第１又は第２発明において、前記連結体は、前記重合位置内における前記各遮光板に対応して前記ウインドウ面方向に沿ってそれぞれ層状に設けられ、前記ウインドウの透光領域全域を覆う透光材製の複数枚の透光板であり、前記各表示体は、前記各透光板の表面にそれぞれ設けられ、前記各遮光板は、前記各表示体の非表示面側にそれぞれ設けられている。
【００１４】
第３発明によれば、遮光板及び表示体が、重合位置における遮光板に対応して設けられた各透光板に設けられる。そのため、各組の遮光板を互いに独立して設け、連結体により移動可能とする構成に比べて、重合位置とシフト位置との間で移動する遮光板及び表示体の位置関係を、透光板に対して遮光板及び表示体を設けるのみの簡単な構成で安定して維持することができる。
【００１５】
本発明の第４発明は、上記第１又は第２発明において、前記遮光板は、前記表示体を配置された帯状の帯板であり、前記ウインドウの透光領域全域を囲むように配置された枠体の互いに対向配置された枠材により前記帯板の両端が支持されている。
【００１６】
第４発明によれば、表示体を配置された帯板が枠体により支持されて遮光板とされている。そのため、透光板なしで遮光板や表示体を設けることができ、遮光板を重合位置としたときの室内外を透過する光の透過率を高めることができる。また、表示体による表示の見え方をよりクリアにすることができる。
【００１７】
本発明の第５発明は、上記第１〜第４発明のいずれかにおいて、前記移動機構は、前記遮光板の前記重合位置と前記シフト位置との間で連続的に移動可能とされ、その移動中の任意の位置で停止可能とされている。
【００１８】
第５発明によれば、遮光板は連続的に移動されて、遮光板を重合位置とシフト位置との間の任意の状態で停止することができる。そのため、ウインドウにおける透光状態を連続的に変化させることができる。
【図面の簡単な説明】
【００１９】
【図１】本発明の第１実施形態を適用した車両の側面図である。
【図２】第１実施形態の正面図である。
【図３】図２と同様の正面図であり、遮光板をシフト位置へ移動した状態を示す。
【図４】第１実施形態の側面図である。
【図５】第１実施形態の一つの表示体の拡大側面図である。
【図６】図４と同様の側面図であり、遮光板をシフト位置へ移動した状態を示す。
【図７】本発明の第２実施形態の側面図であり、遮光板をシフト位置へ移動した状態を示す。
【図８】本発明の第３実施形態の側面図であり、遮光板をシフト位置へ移動した状態を示す。
【図９】本発明の第４実施形態の主要部を示す側面図である。
【図１０】図９のＸ部の拡大図である。
【図１１】本発明の第５実施形態の正面図である。
【発明を実施するための形態】
【００２０】
図１〜６は、本発明の第１実施形態を示す。第１実施形態は、ワンボックスタイプの車両１の側壁面に本発明のウインドウ装置を適用した例である。各図中、矢印により、路上を走行する車両の進行方向を前として各方向を示している。以下の説明において、方向に関する記述は、この方向を基準として行うものとする。
【００２１】
図１の車両１は、床（床面）、天井（天面）、側壁（側面）を成す各壁面体２によって室内外を仕切られて一つの閉空間が形成されている。そして、この例では、側壁を成す壁面体２にウインドウ枠１１Ａによって側面視で四角形の開口であるウインドウ１１が形成され、その開口にウインドウ装置が構成されている。
【００２２】
図４のように、ウインドウ枠１１Ａによって囲まれた領域の内側には、透光材製のウインドウパネル１１Ｂが嵌め込まれてウインドウ１１が構成されている。ウインドウパネル１１Ｂは、ガラス製でも樹脂製でもよい。そのため、図４に矢印で示すように、ウインドウパネル１１Ｂを介して室内と室外との間を光が透過可能とされている。ウインドウパネル１１Ｂの室内側には、矢印で示す透光方向に沿って、複数（図４では７個）の表示体（自発光体）としてのＬＥＤ（発光ダイオード）１３Ａ〜１３Ｇがそれぞれ重ねて層状に配置されている。
【００２３】
そのように重ねて配置された各ＬＥＤ１３Ａ〜１３Ｇは、透光方向と交差する方向であるウインドウパネル１１Ｂの面方向（本発明のウインドウ面方向に相当）で、前後方向に複数組（図４では７組）が等間隔に並べて配置されている。各ＬＥＤ１３Ａ〜１３Ｇは、透光方向に重ねられた状態でウインドウパネル１１Ｂからの配列順位が互いに同じとなるもの同士が透光材製の透光板（本発明の連結体に相当）１２Ａ〜１２Ｇにより互いに連結されている。透光板１２Ａ〜１２Ｇは、ウインドウパネル１１Ｂの面方向に沿って配置されている。即ち、室外側から数えて１層目の透光板１２Ａにより、同じく１層目の各ＬＥＤ１３Ａ〜１３Ｇが連結されている。他の層も同様に、同じ層同士のＬＥＤ１３Ｂ〜１３Ｇが同じ層の透光板１２Ｂ〜１２Ｇにより連結されている。そのため、各ＬＥＤ１３Ａ〜１３Ｇは、各透光板１２Ａ〜１２Ｇにより互いの位置が変化しないように維持されている。透光板１２Ａ〜１２Ｇは、フィルム状若しくは薄板状の透光材により形成されている。
【００２４】
また、図２、３のように、透光板１２Ａ〜１２Ｇは、位置ずれなく互いに重ねられた状態で、ウインドウ枠１１Ａ全域を覆い、ウインドウ枠１１Ａから食み出す大きさとされている。そして、各ＬＥＤ１３Ｂ〜１３Ｇは、透光板１２Ａ〜１２Ｇ上でウインドウ枠１１Ａの上下幅いっぱいとなるように上下方向に複数個が並べて配置されている。
【００２５】
図５は、表示体であるＬＥＤ１３Ｎの一つを拡大して示す。ＬＥＤ１３Ｎは、透光板１２Ｎの室外側表面に室外側を表示面として固定され、透光板１２Ｎを挟んでＬＥＤ１３Ｎの反対側である室内側表面には、不透光処理部１２Ｒ（本発明の遮光板に相当）が設けられている。従って、不透光処理部１２Ｒは、ＬＥＤ１３Ｎの非表示面側に設けられている。図示を省略したが、ＬＥＤ１３Ｎには、ＬＥＤ１３Ｎと不透光処理部１２Ｒとに挟まれる位置に、表示回路１５（図４参照）に接続される電気配線が設けられている。なお、不透光処理部１２Ｒは、透光板１２Ｎ上に黒色テープを貼ることにより構成されている。また、不透光処理部１２Ｒは、黒色塗装を施すことにより構成されてもよい。ＬＥＤ１３Ｎの室外側に面する部分の大きさは３ｍｍ2程度であり、透光方向の厚さは０．３〜０．５ｍｍ程度とされている。また、透光板１２Ｎの透光方向の厚さは０．５〜１ｍｍ程度とされている。
【００２６】
図２〜４のように、各透光板１２Ａ〜１２Ｇのうち、最も室外側にある透光板１２Ａを除く各透光板１２Ｂ〜１２Ｇには、移動機構１４が接続されている。図２、３のように、移動機構１４は、両軸モータ１４ａの両側の回転出力を各連結ロッド１４ｂ、各方向変換ギヤ１４ｃを介して各スクリュウロッド１４ｄに伝達している。その回転を受けて各スクリュウロッド１４ｄに噛合した各スクリュウナット１４ｅは前後方向に移動される。そのため、各スクリュウナット１４ｅ間に結合されたリンク１４ｈ、１４ｋは、図２の状態と図３の状態との間で移動される。移動の途中で、互いに回動自在に連結されたリンク１４ｈ、１４ｋの両端間の距離が変化するため、リンク１４ｈ、１４ｋの各スクリュウナット１４ｅに結合されている端部は各スクリュウナット１４ｅに対して相対移動可能とされている。
【００２７】
リンク１４ｈ、１４ｋと各透光板１２Ｂ〜１２Ｇは、図３のように連結ロッド１４ｍ、１４ｎを介して連結されている。その結果、リンク１４ｈ、１４ｋが図２の状態となると、各ＬＥＤ１３Ａ〜１３Ｇ及び不透光処理部１２Ｒが互いに透光方向に重なる重合位置となるように各透光板１２Ｂ〜１２Ｇも互いに透光方向に重なる位置となる。一方、リンク１４ｈ、１４ｋが図３の状態となると、各ＬＥＤ１３Ａ〜１３Ｇ及び不透光処理部１２Ｒが互いにウインドウパネル１１Ｂの面方向にずれたシフト位置となるように各透光板１２Ｂ〜１２Ｇも互いにウインドウパネル１１Ｂの面方向にずらされる。この状態では、上下方向に並べられた複数のＬＥＤ１３Ａ〜１３Ｇが前後方向にも複数個並べられて面全体に拡げられる。
【００２８】
スクリュウナット１４ｅが図２の位置にある状態では、リミットスイッチ１４ｇがスクリュウナット１４ｅにより操作され、リミットスイッチ１４ｇの作用により両軸モータ１４ａの回転が停止される。従って、各ＬＥＤ１３Ａ〜１３Ｇ及び不透光処理部１２Ｒが重合位置とされた状態に維持される。一方、スクリュウナット１４ｅが図３の位置にある状態では、リミットスイッチ１４ｆがスクリュウナット１４ｅにより操作され、リミットスイッチ１４ｆの作用により両軸モータ１４ａの回転が停止される。従って、各ＬＥＤ１３Ａ〜１３Ｇ及び不透光処理部１２Ｒがシフト位置とされた状態に維持される。
【００２９】
両軸モータ１４ａは、図示しない操作スイッチの操作に応じて任意のタイミングで回転停止することができ、各ＬＥＤ１３Ａ〜１３Ｇ及び不透光処理部１２Ｒの重なり具合を重合位置とシフト位置との中間の任意の位置とすることができる。また、操作スイッチをワンタッチスイッチとして、ワンタッチ操作に応じて図２の状態と図３の状態とのいずれかに切り換えられる構成とすることもできる。この場合は、各ＬＥＤ１３Ａ〜１３Ｇ及び不透光処理部１２Ｒの重なり具合を重合位置とシフト位置との中間の任意の位置とすることはできない。なお、図３のように、各透光板１２Ａ〜１２Ｇは、移動機構１４による移動方向と交差する方向の両側に各透光板１２Ａ〜１２Ｇの移動を案内するガイドレール１２Ｐが設けられている（図２では、ガイドレール１２Ｐの図示を省略している）。また、以上説明した移動機構１４は一例であり、他にも各種の構成が採用可能である。
【００３０】
図６は、移動機構１４により各透光板１２Ｂ〜１２Ｇが移動し、各ＬＥＤ１３Ａ〜１３Ｇ及び不透光処理部１２Ｒが図４に示す重合位置からシフト位置へ移動する様子を示す。従って、このとき、移動機構１４は、図２の状態から図３の状態へ動作される。図６において、仮想線は、各ＬＥＤ１３Ａ〜１３Ｇ及び不透光処理部１２Ｒが重合位置からシフト位置へ移動する途中の状態を示す。各ＬＥＤ１３Ａ〜１３Ｇ及び不透光処理部１２Ｒは、移動に伴って透光方向での互いの重なり量が徐々に少なくされる。
【００３１】
図６に実線で示すように、各ＬＥＤ１３Ａ〜１３Ｇ及び不透光処理部１２Ｒがシフト位置へ移動されると、各ＬＥＤ１３Ａ〜１３Ｇにおいて、重なり位置の室内側のものが室外側のものに対して前方に位置するように移動される。そして、各ＬＥＤ１３Ａ〜１３Ｇは、全てが室外側に向けて露出し、表示可能な状態となる。このとき、各ＬＥＤ１３Ａ〜１３Ｇに対応して設けられた不透光処理部１２Ｒの隣接する組同士は部分的に透光方向で重なるようにされている。そのため、ウインドウ１１を正面から見たとき、各ＬＥＤ１３Ａ〜１３Ｇに対応する不透光処理部１２Ｒの各組同士間に隙間が出来てしまうことはなく、図３のように、上下前後の２方向に拡がりを持った一つの表示面として室外側から見ることができる。この状態で、各ＬＥＤ１３Ａ〜１３Ｇを作動して室外側に向けて図３に「ＡＢＣ」で示すように所望の表示を行うことができる。このとき、室外側から遠くになる室内側のＬＥＤの表示は、室外側からは他に比べて暗く見える可能性がある。その対策として、室外側からの距離に応じてＬＥＤの輝度を変え、室外側から遠いほどＬＥＤを高輝度としてもよい。
【００３２】
ウインドウ枠１１Ａの内側の前後領域には、シフト位置とされてもＬＥＤ１３Ａ〜１３Ｇが透光方向で配置されない領域も残る。しかし、その領域には、ウインドウパネル１１Ｂの室内側に不透光処理部１１Ｄが設けられている（図４、６参照）。そのため、その領域に光が透過してＬＥＤ１３Ａ〜１３Ｇによる表示が見難くなることは抑制されている。また、移動機構１４の一部がウインドウパネル１１Ｂを介して室外側から見えて見栄えが悪くなるのが防止されている。勿論、不透光処理部１１Ｄを設けない構成も考えられる。更に、図６のように各ＬＥＤ１３Ａ〜１３Ｇがシフト位置とされた状態で、透光領域全体が遮光され、室内側は、室外側からの視線が遮断されてプライバシーが守られた空間とされる。不透光処理部１１Ｄは、上述の不透光処理部１２Ｒと同様に構成されている。
【００３３】
一方、各ＬＥＤ１３Ａ〜１３Ｇが、図４のように重合位置にあるときは、図２のように室外側からは、最も室外側に配置された各ＬＥＤ１３Ａ〜１３Ｇのみが見え、重合位置とされた各ＬＥＤ１３Ａ〜１３Ｇ同士間の透光板１２Ａ〜１２Ｇを通して室内側に外光を取り入れることができ、室内側から室外側の景色を見ることができる。
【００３４】
このとき、図２のように室外側からは、各ＬＥＤ１３Ａ〜１３Ｇが縦縞状に見え、ウインドウ枠１１Ａ内に各ＬＥＤ１３Ａ〜１３Ｇがない場合に比べて透過光量が少なくなり、景色の見栄えも悪くなる。その欠点を抑制するためには、各ＬＥＤ１３Ａ〜１３Ｇの表面の大きさを小さくすることが望ましい。しかし、その場合は、図３のように各ＬＥＤ１３Ａ〜１３Ｇをシフト位置として、全体として一つの表示面とするためには、数多くのＬＥＤが必要となる。そのため、各ＬＥＤ１３Ａ〜１３Ｇの重なり枚数を多くする必要がある。従って、縦縞状に見える各ＬＥＤ１３Ａ〜１３Ｇの前後方向幅の大きさと各透光板１２Ａ〜１２Ｇ及び各ＬＥＤ１３Ａ〜１３Ｇの重なり枚数が最適となるように考慮して各ＬＥＤ１３Ａ〜１３Ｇの室外側に面する面積が決定される。
【００３５】
第１実施形態の場合、図２、４のように各ＬＥＤ１３Ａ〜１３Ｇが重合位置にある状態では、各ＬＥＤ１３Ａ〜１３Ｇを発光させないようにしている。しかし、各ＬＥＤ１３Ａ〜１３Ｇによる表示の内容によっては、そのような重合位置においても、各ＬＥＤ１３Ａ〜１３Ｇを発光させて所定の表示を行うようにしてもよい。その場合、各ＬＥＤ１３Ａ〜１３Ｇのうち、最も室外側に位置するもののみが発光して表示を行うのが効率的である。
【００３６】
以上の第１実施形態では、移動機構１４をウインドウ１１の後部に設けたが、図２に仮想線で示すようにウインドウ１１の上下に分散して一対の移動機構１４１を設けてもよい。また、移動機構１４は、全ての透光板１２Ａ〜１２Ｇを均等に移動するように連結せず、一枚の透光板のみを移動するようにし、他の透光板は一枚の透光板に連動して移動されるようにしてもよい。更に、各ＬＥＤ１３Ａ〜１３Ｇを重合位置とシフト位置との間で移動するための透光板１２Ａ〜１２Ｇの移動方向を前後方向ではなく、上下方向、若しくは斜め方向に変更してもよい。更にまた、各ＬＥＤ１３Ａ〜１３Ｇを室外側に向けて表示する配置としたが、室内側に向けて表示する配置としてもよい。
【００３７】
図７は、本発明の第２実施形態を示す。第２実施形態が、第１実施形態に対して特徴とする点は、各ＬＥＤ１３Ｈ〜１３Ｊを重合位置とシフト位置との間で移動する際の各ＬＥＤ１３Ｈ〜１３Ｊの移動方向を第１実施形態に対して変更した点である。その他の構成は、第１実施形態と同一であり、同一部分についての再度の説明は省略する。
【００３８】
図７のように、第２実施形態では、移動機構１４２、１４３が透光板１２Ｈ〜１２Ｍの前後に分割して設けられている。各ＬＥＤ１３Ｈ〜１３Ｊ（ここでは３組のみ図示）を重合位置からシフト位置へ移動させるとき、移動機構１４２は、透光板１２Ｋ〜１２Ｍを後方に移動し、移動機構１４３は、透光板１２Ｈ〜１２Ｊを前方に移動する。その結果、重合位置において一点鎖線で示す位置にあった各層のＬＥＤ１３Ｈ〜１３Ｊがそれぞれ矢印で示すように前後に移動してシフト位置に移動される。
【００３９】
第２実施形態の場合、第１実施形態の場合に比べてＬＥＤの最大移動距離が概ね半分で済むため、重合位置とシフト位置との間の移動時間を移動速度が同じでも短くすることができる。
【００４０】
図８は、本発明の第３実施形態を示す。第３実施形態が、図７の第２実施形態に対して特徴とする点は、シフト位置における各ＬＥＤ１３Ｈ〜１３Ｊの並び方を変更した点である。その他の構成は、第２実施形態と同一であり、同一部分についての再度の説明は省略する。
【００４１】
図７の第２実施形態では、各組のＬＥＤ１３Ｈ〜１３Ｊのうち、室外側に位置するものが後方に移動し、室内側に位置するものが前方に移動して、シフト位置では、前隣の組の室外側のＬＥＤ１３Ｈ〜１３Ｊと後隣の組の室内側のＬＥＤ１３Ｈ〜１３Ｊとが傾斜した直線状に並ぶようにされている。一方、図８の第３実施形態では、各組のＬＥＤ１３Ｈ〜１３Ｊのうち、室外側に位置するものが後方に移動し、室内側に位置するものが前方に移動する点は第２実施形態と同じである。しかし、室内側のものの前方への移動の仕方が両者間で相違している。その結果、シフト位置では、前隣の組の室外側のＬＥＤ１３Ｈ〜１３Ｊと後隣の組の室内側のＬＥＤ１３Ｈ〜１３Ｊとが互いに交差する方向に傾斜した直線状にそれぞれ並ぶようにされている。
【００４２】
図８のように、第３実施形態においても、シフト位置では、全てのＬＥＤ１３Ｈ〜１３Ｊが室外側から見える状態となり、ＬＥＤ１３Ｈ〜１３Ｊにより所定の表示を行うことができる。
【００４３】
第３実施形態も第２実施形態の場合と同様、第１実施形態の場合に比べてＬＥＤの最大移動距離が概ね半分で済むため、重合位置とシフト位置との間の移動時間を移動速度が同じでも短くすることができる。
【００４４】
図９は、本発明の第４実施形態を示す。第４実施形態が、第１実施形態に対して特徴とする点は、各ＬＥＤ１３Ｋ１〜１３Ｐ２を透光板１２Ｎの室外側と室内側の両側に設けた点である。その他の構成は、第１実施形態と同一であり、同一部分についての再度の説明は省略する。
【００４５】
図１０に拡大して示すように、各ＬＥＤ１３Ｎ１、１３Ｎ２は、それぞれ配線基板１３Ｘ１、１３Ｘ２を介して透光板１２Ｎの室外側面と室内側面に接続されている。両ＬＥＤ１３Ｎ１、１３Ｎ２の配線は透光板１２Ｎの配線基板１３Ｘ１、１３Ｘ２に挟まれた領域を介して表示回路１５（図４参照）に接続されている。第３実施形態では、配線基板１３Ｘ１、１３Ｘ２は、不透光材であり、本発明の遮光板として機能している。他のＬＥＤ１３Ｋ１〜１３Ｐ２についても、ＬＥＤ１３Ｎ１、１３Ｎ２と同様に構成されている。
【００４６】
第４実施形態によれば、各ＬＥＤ１３Ｋ１〜１３Ｐ２がシフト位置とされると、各ＬＥＤ１３Ｋ１〜１３Ｐ２による表示が室外側と室内側の両側に向けて、それぞれ行われる。それらの表示は、室外側と室内側とで別のものとしてもよいし、同じものとしてもよい。
【００４７】
図１１は、本発明の第５実施形態を示す。第５実施形態が、第１実施形態に対して特徴とする点は、各ＬＥＤ１３Ｑ〜１３Ｗの支持を、第１実施形態のような透光板１２Ｎによらず、枠体１１Ｃに支持された帯板（本発明の遮光板に相当）１２Ｑにより行っている点である。その他の構成は、第１実施形態と同一であり、同一部分についての再度の説明は省略する。
【００４８】
枠体１１Ｃは、縦（上下方向）横（前後方向）４本の枠材１１Ｃ１、１１Ｃ２が四角形の枠を成すように組み立てて構成されており、上下方向の２本の枠材１１Ｃ１の間に２本の枠材１１Ｃ１と平行に各帯板１２Ｑが前後方向に等間隔に並べて支持されている。この間隔は、各ＬＥＤ１３Ｑ〜１３Ｗが各帯板１２Ｑと共にシフト位置とされたとき、各帯板１２Ｑによって覆われる領域の間隔と等しくされている。各帯板１２Ｑは、その両端が、前後方向に延びる２本の枠材１１Ｃ２により支持されている。各帯板１２Ｑは、筒状に形成された前後方向に延びる２本の枠材１１Ｃ２内に設けられた第１実施形態と同様のガイドレール（図示略）により前後方向に移動可能に構成されている。移動機構（図示略）は、公知の各種のものが適用可能で、例えば、建物の窓に多用されるブラインドの開閉に使われる移動機構を２本の枠材１１Ｃ２内に適用することができる。
【００４９】
第５実施形態によれば、第１実施形態のような透光板１２Ｎを使用しないため、各ＬＥＤ１３Ｑ〜１３Ｗ及び各帯板１２Ｑを重合位置としたときのウインドウ１１を通して室内外を透過する光の透過率を高めることができる。また、各ＬＥＤ１３Ｑ〜１３Ｗ及び各帯板１２Ｑをシフト位置としたときの表示の見え方をクリアにすることができる。
【００５０】
以上、特定の実施形態について説明したが、本発明は、それらの外観、構成に限定されず、種々の変更、追加、削除が可能である。
【符号の説明】
【００５１】
１      車両
２      壁面体
１１    ウインドウ
１１Ａ  ウインドウ枠
１１Ｂ  ウインドウパネル
１１Ｃ  枠体
１１Ｃ１、１１Ｃ２  枠材
１１Ｄ  不透光処理部
１２Ａ〜１２Ｎ  透光板（連結体）
１２Ｐ  ガイドレール
１２Ｑ  帯板（遮光板）
１２Ｒ  不透光処理部（遮光板）
１３Ａ〜１３Ｗ  ＬＥＤ（表示体、自発光体）
１３Ｘ１、１３Ｘ２  配線基板（遮光板）
１４、１４１〜１４３  移動機構
１４ａ  両軸モータ
１４ｂ  連結ロッド
１４ｃ  方向変換ギヤ
１４ｄ  スクリュウロッド
１４ｅ  スクリュウナット
１４ｆ、１４ｇ  リミットスイッチ
１４ｈ、１４ｋ  リンク
１４ｍ、１４ｎ  連結ロッド
１５    表示回路
【図１】
2020084479.tif 000003
【図２】
2020084479.tif 000004
【図３】
2020084479.tif 000005
【図４】
2020084479.tif 000006
【図５】
2020084479.tif 000007
【図６】
2020084479.tif 000008
【図７】
2020084479.tif 000009
【図８】
2020084479.tif 000010
【図９】
2020084479.tif 000011
【図１０】
2020084479.tif 000012
【図１１】
2020084479.tif 000013